(57)【要約】【課題】見出し部材を取り付けるブックエンド等の起立板の構造を変更することなく見出し部材を簡単に取り付けすることができ、かつ、起立板を単独で使用する場合も見栄えを損なうことがない見出し部材の取付構造を提供する。【解決手段】棚板１の上面に設けたブックエンドにおける前後方向を向く起立板５ｂの前端部に、見出し部材６の後端に設けた上下方向を向く嵌合溝７を嵌合することにより、見出し部材６を起立板５ｂに着脱自在に装着するとともに、見出し部材６を起立板５ｂの前端部に保持する保持手段１１、１２を設ける。【選択図】図１
2007117191.tif 000002
【特許請求の範囲】
【請求項１】
棚板の上面に設けた前後方向を向く垂直板の前端部に、見出し部材の後端に設けた上下方向を向く嵌合溝を嵌合することにより、前記見出し部材を垂直板に着脱自在に装着するとともに、前記見出し部材を垂直板の前端部に保持する保持手段を設けたことを特徴とする見出し部材の取付構造。
【請求項２】
保持手段が、垂直板の前端部と見出し部材の嵌合溝の内面との対向面のいずれか一方に設けた凹部と、いずれか他方に設けられ、かつ前記凹部に係合する凸部とを備えている請求項１記載の見出し部材の取付構造。
【請求項３】
凹部を、垂直板の前端または見出し部材の後端に開口し、その開口から凸部を導入して、奥端部で前記凸部を受止するようにした係合溝とした請求項２記載の見出し部材の取付構造。
【請求項４】
凹部と凸部とのいずれか一方を、上下方向に離して複数個設け、いずれか他方のものがその両方に選択的に係合しるようにすることにより、見出し部材の取り付け高さを変更可能とした請求項２または３記載の見出し部材の取付構造。
【請求項５】
保持手段を、見出し部材における嵌合溝を挟む１対の側片を、垂直板の前端部を弾性把持する１対の把持片とすることにより形成した請求項１記載の見出し部材の取付構造。
【請求項６】
見出し部材の下端に、棚板の前端面に後端が当接するようにした下向突部を設けた請求項１〜５のいずれかに記載の見出し部材の取付構造。
【請求項７】
見出し部材の上端より下端近傍に掛けて、見出し片を挿入する左右１対の見出し片挿入孔を設けるとともに、両見出し片挿入孔を仕切る仕切片の上端部を切り欠くことにより、両見出し片挿入孔の上部を連通させ、さらに、見出し部材の両側面に、見出し片挿入孔に挿入した見出し片を露呈させる窓孔を設けた請求項１〜６のいずれかに記載の見出し部材の取付構造。
【請求項８】
垂直板を、棚板上に設けた仕切板とした請求項１〜７のいずれかに記載の見出し部材の取付構造。
【請求項９】
垂直板を、棚板上に載置したブックエンドの起立板とした請求項１〜７のいずれかに記載の見出し部材の取付構造。
【発明の詳細な説明】
【技術分野】
【０００１】
本発明は、書架等の商品陳列棚において、仕切板またはブックエンドの前端に見出し部材を取り付けるための見出し部材の取付構造に関する。
【背景技術】
【０００２】
従来、書架等の棚板上に立設した仕切板に扁平袋状の挿入部を設け、この挿入部に見出し片を挿入するようにした見出し部材の取付構造がある（例えば、特許文献１参照）。
【特許文献１】特開２００４−１７３９２７号公報
【発明の開示】
【発明が解決しようとする課題】
【０００３】
しかし、特許文献１に記載されているものは、仕切板に扁平袋状の挿入部を設けるため、仕切板の構造が複雑になるとともに、仕切板が厚くなるという問題がある。
また、見出し片を取り付けることなく、仕切板のみを単独で使用する場合、前端が開口しているため、見栄えが悪いという問題もある。
【０００４】
本発明は、従来の技術が有する上記のような問題点に鑑み、見出し部材を取り付ける仕切板等の垂直板の構造を変更することなく、見出し部材を簡単に取り付けすることができ、しかも、垂直板を単独で使用する場合にも、見栄えを損なうことがないようにした見出し部材の取付構造を提供することを目的としている。
【課題を解決するための手段】
【０００５】
本発明によると、上記課題は次のようにして解決される。
(１)棚板の上面に設けた前後方向を向く垂直板の前端部に、見出し部材の後端に設けた上下方向を向く嵌合溝を嵌合することにより、前記見出し部材を垂直板に着脱自在に装着するとともに、前記見出し部材を垂直板の前端部に保持する保持手段を設ける。
【０００６】
(２)上記(１)項において、保持手段が、垂直板の前端部と見出し部材の嵌合溝の内面との対向面のいずれか一方に設けた凹部と、いずれか他方に設けられ、かつ前記凹部に係合する凸部とを備えているものとする。
【０００７】
(３)上記(２)項において、凹部を、垂直板の前端または見出し部材の後端に開口し、その開口から凸部を導入して、奥端部で前記凸部を受止するようにした係合溝とする。
【０００８】
(４)上記(２)または(３)項において、凹部と凸部とのいずれか一方を、上下方向に離して複数個設け、いずれか他方のものがその両方に選択的に係合しるようにすることにより、見出し部材の取り付け高さを変更可能とする。
【０００９】
(５)上記(１)項において、保持手段を、見出し部材における嵌合溝を挟む１対の側片を、垂直板の前端部を弾性把持する１対の把持片とすることにより形成するものとする。
【００１０】
(６)上記(１)〜(５)項のいずれかにおいて、見出し部材の下端に、棚板の前端面に後端が当接するようにした下向突部を設ける。
【００１１】
(７)上記(１)〜(６)項のいずれかにおいて、見出し部材の上端より下端近傍に掛けて、見出し片を挿入する左右１対の見出し片挿入孔を設けるとともに、両見出し片挿入孔を仕切る仕切片の上端部を切り欠くことにより、両見出し片挿入孔の上部を連通させ、さらに、見出し部材の両側面に、見出し片挿入孔に挿入した見出し片を露呈させる窓孔を設ける。
【００１２】
(８)上記(１)〜(７)項のいずれかにおいて、垂直板を、棚板上に設けた仕切板とする。
【００１３】
(９)上記(１)〜(８)項のいずれかにおいて、垂直板を、棚板上に載置したブックエンドの起立板とする。
【発明の効果】
【００１４】
本発明によると、次のような効果を奏することができる。
請求項１記載の発明によると、見出し部材の嵌合溝を垂直板に嵌合させるだけで簡単に取り付け、取り外しをすることができ、かつ、垂直板には見出し部材取り付けのための加工を行う必要がなく、製造コストを安くすることができるとともに、見出し部材を取り付けない状態で垂直板を使用する場合でも見栄えを損なうことがない。
また、保持手段により、見出し部材が垂直板の前端部から脱落することが防止できる。
【００１５】
請求項２記載の発明によると、垂直板と見出し部材に設けた凹凸の係合により、簡単な構造で見出し部材の脱落を防止することができる。
【００１６】
請求項３記載の発明によると、凹部の開口部からガイド溝で案内した凸部を奥端部で受止するようにしてあるので、見出し部材の着脱作業が容易である。
【００１７】
請求項４記載の発明によると、凹部と凸部との係合位置を変えることにより、見出し部材の取り付け高さを簡単に変更することができる。
【００１８】
請求項５記載の発明によると、垂直板の前端部を、見出し部材の嵌合溝の両側の側片で弾性把持するようにしてあるので、見出し部材を弾性のある樹脂材料により形成するだけで、簡単に保持手段を構成することができる。
【００１９】
請求項６記載の発明によると、棚板の前端面に見出し部材の下向突部が当接することにより、見出し部材のがたつきが防止されるとともに、垂直板の後方への移動が阻止されるので、特に、垂直板をブックエンドの起立板としたときに都合がよい。
【００２０】
請求項７記載の発明によると、両見出し片挿入孔を仕切る仕切片の上端部を切り欠いてあるので、見出し片の挿入口部分が広くなり、見出し片および透明カバーを同時に挿入する際等に、挿入操作が容易になる。
【００２１】
請求項８記載の発明によると、 見出し部材を取り付けた仕切板を書籍等の分類表示に効果的に使用することができる。
【００２２】
請求項９記載の発明によると、見出し部材を取り付けたブックエンドで、書籍の側方への倒れを防止することができるとともに、書籍の分類表示にも利用することができる。
【発明を実施するための最良の形態】
【００２３】
以下、本発明の実施の形態を、添付図面を参照して説明する。
図１は、棚板上に設置される仕切板および見出し部材の分解斜視図である。
同図に示すように、棚板(１)と、その両端部に立設された左右１対の側板(２)(２)と、それらの後面に取り付けられた背板(３)とにより、１単位の書架(４)が形成され、その棚板(１)上には、ブックエンド(５)が載置されている。ブックエンド(５)は棚板(１)上に載置された台板(5a)と、この台板(5a)から上向き折曲された前後方向を向く垂直板である起立板(5b)とを備えている。このブックエンド(５)の起立板(5b)の前端部に、見出し部材(６)が着脱自在に取り付けられている。
【００２４】
図２は、見出し部材の側面図、図３は、図２のIII−III線拡大断面図、図４は、図２のIＶ−IＶ線拡大断面図である。
図１〜図４に示すように、見出し部材(６)は、合成樹脂材料からなる扁平形状のもので、後端（図１の左方、図２の右方）に上下方向を向く嵌合溝(７)が形成され、それより前方の両側面には、挿入した見出し片(８)および透明カバー(９)（図１参照）を露呈させるための窓孔(10)が設けられている。
【００２５】
嵌合溝(７)の内面の上下には、見出し部材(６)の後端に開口するほぼＬ字形のガイド溝からなる係合用の凹部(11)(11)が設けられている。起立板(5b)にはこの凹部(11)に対応する上下２箇所に、一側方に突出する円形の凸部(12)が設けられている（図１参照）。
【００２６】
図３および図４に示すように、見出し部材(６)の上端より下端近傍に掛けて、見出し片(８)を挿入する左右１対の見出し片挿入孔(13)(13)が設けられるとともに、両見出し片挿入孔(13)(13)を仕切るように仕切片(14)が設けられ、この仕切片(14)を露呈させるように、上記窓孔(10)(10)が左右の側面に設けられている。また、仕切片(14)の上端部に切欠部(15)を設けることにより、両見出し片挿入孔(13)(13)の上端部(13a)(13a)同士が互いに連通されている（図４参照）。
見出し部材(６)の下端には、下向突部(16)が形成され、この下向突部(16)の後面に見出し部材(６)の前端より凹んだ当接面(16a)が形成されている。
【００２７】
図５および図６は、それぞれ見出し片(８)を挿入した見出し部材(６)を、起立板(5b)に取り付ける手順を示している。
図５に示すように、嵌合溝(７)をブックエンド(５)の起立板(5a)の前端部に嵌合させるとともに、見出し部材(６)の上下の凹部(11)を、対応する凸部(12)に係合させた状態で、見出し部材(６)を後方に押し込みつつ、下降させることにより、図６に示すように、各凸部(12)を、凹部(11)の最奥部である上端に係合させる。これにより、見出し部材(６)は、起立板(5b)の前端部の全体を囲繞した状態で取り付けられるとともに、凹部(11)と凸部(12)の係合により、見出し部材(６)の脱落が防止される。また、この状態で、下向き突部(16)の当接面(16a)が棚板(１)の前面に当接することにより、見出し部材(６)のがたつきが防止されるとともに、ブックエンド(５)が後方へ位置ずれするのが阻止される。
【００２８】
仕切片(14)の上端に切欠部(15)を設けたことにより、見出し片挿入孔(13)(13)の上端部、すなわち、見出し片(８)の挿入口部分が広くなるため、見出し片(８)および見出し片(８)の外側を覆う透明カバー(９)を同時に図４の矢印(17)方向に挿入する際、挿入操作が容易になる。
【００２９】
上記実施形態においては、ブックエンド(５)の起立片(5b)に設けた凸部(12)と、見出し部材(６)に設けた凹部(11)とにより、見出し部材(６)を起立片(5b)の前端部に着脱自在に保持する保持手段を形成してあるが、本発明は、これに限定されるものではなく、以下のような形態でも実施することができる。
【００３０】
(ａ)凹部(11)を、起立板(5b)の前縁に開口する倒立Ｌ字状のガイド孔、または後下向き傾斜する傾斜孔とし、かつ凸部(12)を、見出し部材(６)の嵌合溝(７)内に設けた左右方向を向くピンとして、それを上記ガイド孔または傾斜孔に係合させるようにする。
【００３１】
(ｂ)凹部(11)と凸部(12)とのいずれか一方を、上下方向に離して複数個設け、いずれか他方のものがその両方に選択的に係合しるようにする。これにより、見出し部材(６)の取り付け高さを変更可能とする。
【００３２】
(ｃ) 見出し部材(６)の嵌合溝(７)を挟む１対の側片(7a)(7a)（図３参照）を、起立板(5b)の前端部を弾性把持する１対の把持片とする。これにより、側片(7a)(7a)の弾性を利用して保持手段とすることができる。
【００３３】
(ｄ)ブックエンド(５)の起立板(5b)に代えて、棚板(１)上に固着した側板(２)や仕切板（図示略）等の垂直板の前端部に、見出し部材(６)を着脱自在に装着しうるようにする。
【図面の簡単な説明】
【００３４】
【図１】本発明の見出し部材の取付構造の一実施形態を示す分解斜視図である。
【図２】見出し部材の側面図である。
【図３】図２のIII−III線拡大断面図である。
【図４】図２のIＶ−IＶ線拡大断面図である。
【図５】見出し部材の取り付け前の状態を示す側面図である。
【図６】見出し部材の取り付け後の状態を示す側面図である。
【図７】図６のVII−VII線拡大断面図である。
【符号の説明】
【００３５】
(１)棚板
(２)側板
(３)背板
(４)書架
(５)ブックエンド
(5a)台板
(5b)起立板（垂直板）
(６)見出し部材
(７)嵌合溝
(7a)側片
(８) 見出し片
(９)透明カバー
(10)窓孔
(11)凹部（保持手段）
(12)凸部（保持手段）
(13)見出し片挿入孔
(13a)上端部
(14)仕切片
(15)切欠部
(16)下向突部
(16a)当接面
(17)矢印
【図１】
2007117191.tif 000003
【図２】
2007117191.tif 000004
【図３】
2007117191.tif 000005
【図４】
2007117191.tif 000006
【図５】
2007117191.tif 000007
【図６】
2007117191.tif 000008
【図７】
2007117191.tif 000009